(57)【要約】【目的】被写体像から，いわゆる傷を無くす。【構成】時刻ｔ１〜ｔ２の間に機械シャッタが開放され，露光が行われる。時刻ｔ３からｔ４およびｔ６からｔ７までの間においてＣＣＤの垂直転送路に蓄積されている不要電荷が高速に掃き出される。高速掃き出しの終了時点ｔ４およびｔ７において，垂直転送パルスφＶ１〜φＶ８のＬレベルが通常のレベルである−８ｖから−7.5ｖに下げられる（タイム・チャート上では上昇させられる）。高速掃き出しの終了時点ｔ４およびｔ７において電位変動が起きても信号電荷の移動が起きないので，高速掃き出しの終了時点における電位変動にもとづく，被写体像の傷の発生が未然に防止される。【選択図】図４
2007306071.tif 000002
【特許請求の範囲】
【請求項１】
列方向および行方向にフォトダイオードが多数配列され，フォトダイオードの各列に隣接した垂直転送路を含む固体電子撮像装置，
上記フォトダイオードへの露光が終了したことに応じて，不要電荷掃き出し終了時点における絶対値レベルが他の時点における絶対値レベルよりも小さい垂直転送パルスを用いて，蓄積されている不要電荷を掃き出すように上記固体電子撮像装置を制御する第１の制御手段，
上記第１の制御手段の制御のもとに行われる不要電荷掃き出し後に上記フォトダイオードに蓄積されている信号電荷を上記垂直転送路にシフトするように上記固体電子撮像装置を制御する第２の制御手段，ならびに
上記第２の制御手段の制御のもとに上記垂直転送路にシフトされた信号電荷を，与えられる垂直転送パルスにもとづいて垂直方向に転送して映像信号を出力するように上記固体電子撮像装置を制御する第３の制御手段，
を備えた固体電子撮像装置の制御装置。
【請求項２】
上記第１の制御手段は，上記フォトダイオードへの露光の終了時点から上記第３の制御手段にもとづく映像信号出力の終了時点までの間，垂直転送パルスの絶対値レベルが，他の時点における垂直転送パルスの絶対値レベルよりも小さい垂直転送パルスを用いて上記不要電荷掃き出しを行うように上記固体電子撮像装置を制御するものである，
請求項１に記載の固体電子撮像装置の制御装置。
【請求項３】
上記第１の制御手段は，上記不要電荷掃き出し開始時点から上記第３の制御手段にもとづく映像信号出力の終了時点までの間，垂直転送パルスの絶対値レベルが，他の時点における垂直転送パルスの絶対値レベルよりも小さい垂直転送パルスを用いて上記不要電荷掃き出しを行うように上記固体電子撮像装置を制御するものである，
請求項１に記載の固体電子撮像装置の制御装置。
【請求項４】
上記第１の制御手段は，上記不要電掃き出し開始時点から上記不要電荷掃き出し終了時点までの間に垂直転送パルスの絶対値レベルが徐々に小さくなり，上記第３の制御手段にもとづく映像信号出力の終了時点までの間，垂直転送パルスの絶対値レベルが，他の時点における垂直転送パルスの絶対値レベルよりも小さい垂直転送パルスを用いて上記不要電荷掃き出しを行うように上記固体電子撮像装置を制御するものである，
請求項１に記載の固体電子撮像装置の制御装置。
【請求項５】
上記第３の制御手段は，上記第１の制御手段の制御において用いられる上記不要電荷掃き出し終了時点における垂直転送パルスの絶対値レベルよりも大きい絶対値レベルをもつ垂直転送パルスを用いて，上記垂直転送路にシフトされた信号電荷を垂直方向に転送するものである，
請求項１に記載の固体電子撮像装置の制御装置。
【請求項６】
上記第１の制御手段は，上記不要電荷掃き出し開始時点から上記不要電荷掃き出し終了時点までの間に絶対値レベルが徐々に小さくなり，上記第３の制御手段の制御のもとに行われる信号電荷の垂直転送の開始までに絶対値レベルが徐々に大きくなる垂直転送パルスを用いて上記不要電荷掃き出しを行うように上記固体電子撮像装置を制御するものである，
請求項１に記載の固体電子撮像装置の制御装置。
【請求項７】
列方向および行方向にフォトダイオードが多数配列され，フォトダイオードの各列に隣接した垂直転送路を含む固体電子撮像装置，
上記フォトダイオードへの露光が終了したことに応じて，不要電荷掃き出し終了時点における周期が他の時点における周期よりも長い垂直転送パルスを用いて，蓄積されている不要電荷を掃き出すように上記固体電子撮像装置を制御する第１の制御手段，
上記第１の制御手段の制御のもとに行われる不要電荷掃き出し後に上記フォトダイオードに蓄積されている信号電荷を上記垂直転送路にシフトするように上記固体電子撮像装置を制御する第２の制御手段，ならびに
上記第２の制御手段の制御のもとに上記垂直転送路にシフトされた信号電荷を，与えられる垂直転送パルスにもとづいて垂直方向に転送して映像信号を出力するように上記固体電子撮像装置を制御する第３の制御手段，
を備えた固体電子撮像装置の制御装置。
【請求項８】
列方向および行方向にフォトダイオードが多数配列され，フォトダイオードの各列に隣接した垂直転送路を含む固体電子撮像装置を制御する方法において，
第１の制御手段が，上記フォトダイオードへの露光が終了したことに応じて，不要電荷掃き出し終了時点における絶対値レベルが他の時点における絶対値レベルよりも小さい垂直転送パルスを用いて，蓄積されている不要電荷を掃き出すように上記固体電子撮像装置を制御し，
第２の制御手段が，上記第１の制御手段の制御のもとに行われる不要電荷掃き出し後に上記フォトダイオードに蓄積されている信号電荷を上記垂直転送路にシフトするように上記固体電子撮像装置を制御し，
第３の制御手段が，上記第２の制御手段の制御のもとに上記垂直転送路にシフトされた信号電荷を，与えられる垂直転送パルスにもとづいて垂直方向に転送して映像信号を出力するように上記固体電子撮像装置を制御する，
固体電子撮像装置の制御方法。
【請求項９】
列方向および行方向にフォトダイオードが多数配列され，フォトダイオードの各列に隣接した垂直転送路を含む固体電子撮像装置の制御方法において，
第１の制御手段が，上記フォトダイオードへの露光が終了したことに応じて，不要電荷掃き出し終了時点における周期が他の時点における周期よりも長い垂直転送パルスを用いて，蓄積されている不要電荷を掃き出すように上記固体電子撮像装置を制御し，
第２の制御手段が，上記第１の制御手段の制御のもとに行われる不要電荷掃き出し後に上記フォトダイオードに蓄積されている信号電荷を上記垂直転送路にシフトするように上記固体電子撮像装置を制御し，
第３の制御手段が，上記第２の制御手段の制御のもとに上記垂直転送路にシフトされた信号電荷を，与えられる垂直転送パルスにもとづいて垂直方向に転送して映像信号を出力するように上記固体電子撮像装置を制御する，
固体電子撮像装置の制御方法。
【発明の詳細な説明】
【技術分野】
【０００１】
この発明は，固体電子撮像装置およびその制御方法に関する。
【背景技術】
【０００２】
長時間の露出が行われると，固体電子撮像装置の垂直転送路に多くの不要電荷が蓄積されてしまうことがある。このために，不要電荷の増加を防止するものがある（特許文献１）。
【特許文献１】特開2001-352491号公報
【０００３】
最近のディジタル・スチル・カメラでは，固体電子撮像装置の大きさが小さくなるにもかかわらず，高画素化が進んでいる。垂直転送路では，狭い面積で信号電荷が混ざらないように転送する必要があるために，信号電荷を転送するための電位井戸の深さが深くなる。電位井戸の深さが深くなると，垂直転送路から不要電荷掃き出しを終了した時点で電位変動が起こりやすくなる。不要電荷が残っていた場合，その残っていた不要電荷が電位井戸内に漏れてしまうことがあり，この漏れが，被写体像に傷のように見えてしまうことがある。
【発明の開示】
【０００４】
この発明は，いわゆる傷のような画像部分を被写体像に生じさせないようにすることを目的とする。
【０００５】
第１の発明による固体電子撮像装置の制御装置は，列方向および行方向にフォトダイオードが多数配列され，フォトダイオードの各列に隣接した垂直転送路を含む固体電子撮像装置，上記フォトダイオードへの露光が終了したことに応じて，不要電荷掃き出し終了時点における絶対値レベルが他の時点における絶対値レベルよりも小さい垂直転送パルスを用いて，蓄積されている不要電荷を掃き出すように上記固体電子撮像装置を制御する第１の制御手段，上記第１の制御手段の制御のもとに行われる不要電荷掃き出し後に上記フォトダイオードに蓄積されている信号電荷を上記垂直転送路にシフトするように上記固体電子撮像装置を制御する第２の制御手段，ならびに上記第２の制御手段の制御のもとに上記垂直転送路にシフトされた信号電荷を，与えられる垂直転送パルスにもとづいて垂直方向に転送して映像信号を出力するように上記固体電子撮像装置を制御する第３の制御手段を備えていることを特徴とする。
【０００６】
第１の発明は，上記固体電子撮像装置の制御装置に適した制御方法も提供している。すなわち，この方法は，列方向および行方向にフォトダイオードが多数配列され，フォトダイオードの各列に隣接した垂直転送路を含む固体電子撮像装置を制御する方法において，第１の制御手段が，上記フォトダイオードへの露光が終了したことに応じて，不要電荷掃き出し終了時点における絶対値レベルが他の時点における絶対値レベルよりも小さい垂直転送パルスを用いて，蓄積されている不要電荷を掃き出すように上記固体電子撮像装置を制御し，第２の制御手段が，上記第１の制御手段の制御のもとに行われる不要電荷掃き出し後に上記フォトダイオードに蓄積されている信号電荷を上記垂直転送路にシフトするように上記固体電子撮像装置を制御し，第３の制御手段が，上記第２の制御手段の制御のもとに上記垂直転送路にシフトされた信号電荷を，与えられる垂直転送パルスにもとづいて垂直方向に転送して映像信号を出力するように上記固体電子撮像装置を制御するものである。
【０００７】
第１の発明によると，フォトダイオードへの露光が終了すると，フォトダイオードに蓄積された信号電荷が垂直転送路にシフトされる前に，垂直転送路に蓄積されている信号電荷が掃き出される（不要電荷掃き出し）。不要電荷掃き出しにおいて垂直転送路に与えられる垂直転送パルスは，不要電荷掃き出し終了時点における絶対値レベルが他の時点における絶対値レベルよりも小さくなっている。このために，不要電荷掃き出し終了時点における電位井戸の深さは，その他の時点での電位井戸の深さよりも浅くなる。電位変動が起きにくくなり，不要電荷が電位井戸内に漏れることが未然に防止される。いわゆる傷のような画像部分が無い被写体像が得られる。
【０００８】
上記第１の制御手段は，たとえば，上記フォトダイオードへの露光の終了時点から上記第３の制御手段にもとづく映像信号出力の終了時点までの間，垂直転送パルスの絶対値レベルが，他の時点における垂直転送パルスの絶対値レベルよりも小さい垂直転送パルスを用いて上記不要電荷掃き出しを行うように上記固体電子撮像装置を制御するものである。
【０００９】
上記第１の制御手段は，上記不要電荷掃き出し開始時点から上記第３の制御手段にもとづく映像信号出力の終了時点までの間，垂直転送パルスの絶対値レベルが，他の時点における垂直転送パルスの絶対値レベルよりも小さい垂直転送パルスを用いて上記不要電荷掃き出しを行うように上記固体電子撮像装置を制御するものでもよい。
【００１０】
上記第１の制御手段は，上記不要電掃き出し開始時点から上記不要電荷掃き出し終了時点までの間に垂直転送パルスの絶対値レベルが徐々に小さくなり，上記第３の制御手段にもとづく映像信号出力の終了時点までの間，垂直転送パルスの絶対値レベルが，他の時点における垂直転送パルスの絶対値レベルよりも低い垂直転送パルスを用いて上記不要電荷掃き出しを行うように上記固体電子撮像装置を制御するものでもよい。
【００１１】
上記第３の制御手段は，たとえば，上記第１の制御手段の制御において用いられる上記不要電荷掃き出し終了時点における垂直転送パルスの絶対値レベルよりも大きい絶対値レベルをもつ垂直転送パルスを用いて，上記垂直転送路にシフトされた信号電荷を垂直方向に転送するものである。
【００１２】
上記第１の制御手段は，上記不要電荷掃き出し開始時点から上記不要電荷掃き出し終了時点までの間に絶対値レベルが徐々に小さくなり，上記第３の制御手段の制御のもとに行われる信号電荷の垂直転送の開始までに絶対値レベルが徐々に大きくなる垂直転送パルスを用いて上記不要電荷掃き出しを行うように上記固体電子撮像装置を制御するものでもよい。
【００１３】
第２の発明による固体電子撮像装置の制御装置は，列方向および行方向にフォトダイオードが多数配列され，フォトダイオードの各列に隣接した垂直転送路を含む固体電子撮像装置，上記フォトダイオードへの露光が終了したことに応じて，不要電荷掃き出し終了時点における周期が他の時点における周期よりも長い垂直転送パルスを用いて，蓄積されている不要電荷を掃き出すように上記固体電子撮像装置を制御する第１の制御手段，上記第１の制御手段の制御のもとに行われる不要電荷掃き出し後に上記フォトダイオードに蓄積されている信号電荷を上記垂直転送路にシフトするように上記固体電子撮像装置を制御する第２の制御手段，ならびに上記第２の制御手段の制御のもとに上記垂直転送路にシフトされた信号電荷を，与えられる垂直転送パルスにもとづいて垂直方向に転送して映像信号を出力するように上記固体電子撮像装置を制御する第３の制御手段を備えていることを特徴とする。
【００１４】
第２の発明は，上記固体電子撮像装置の制御装置に適した制御方法も提供している。すなわち，この方法は，列方向および行方向にフォトダイオードが多数配列され，フォトダイオードの各列に隣接した垂直転送路を含む固体電子撮像装置の制御方法において，第１の制御手段が，上記フォトダイオードへの露光が終了したことに応じて，不要電荷掃き出し終了時点における周期が他の時点における周期よりも長い垂直転送パルスを用いて，蓄積されている不要電荷を掃き出すように上記固体電子撮像装置を制御し，第２の制御手段が，上記第１の制御手段の制御のもとに行われる不要電荷掃き出し後に上記フォトダイオードに蓄積されている信号電荷を上記垂直転送路にシフトするように上記固体電子撮像装置を制御し，第３の制御手段が，上記第２の制御手段の制御のもとに上記垂直転送路にシフトされた信号電荷を，与えられる垂直転送パルスにもとづいて垂直方向に転送して映像信号を出力するように上記固体電子撮像装置を制御するものである。
【００１５】
第２の発明によると，フォトダイオードへの露光が終了すると，フォトダイオードに蓄積された信号電荷が垂直転送路にシフトされる前に，垂直転送路に蓄積されている信号電荷が掃き出される（不要電荷掃き出し）。不要電荷掃き出しにおいて垂直転送路に与えられる垂直転送パルスは，不要電荷掃き出し終了時点における周期が他の時点における周期よりも長くなっている。このために，不要電荷掃き出しの終了時点では，電位変動が起きにくくなり，不要電荷が電位井戸内に漏れることが未然に防止される。いわゆる傷のような画像部分が無い被写体像が得られる。
【実施例】
【００１６】
図１は，この発明の実施例を示すもので，ＣＣＤの模式図の一部である。
【００１７】
ＣＣＤ１には，水平方向および垂直方向に多数のフォトダイオード２が設けられている。この実施例におけるＣＣＤ１は，いわゆるハニカム配列のものであり，奇数行には奇数列にフォトダイオード２が設けられており，かつ偶数行には偶数列にフォトダイオード２が設けられている。もちろん，奇数行には偶数列にフォトダイオードが設けられ，かつ偶数行には奇数列にフォトダイオード２が設けられているものでもよいし，いわゆるハニカム配列ではなく，すべての行および列にフォトダイオード２が設けられていてもよい。
【００１８】
奇数行のフォトダイオード２の受光面上には，緑色の光成分を透過する特性を有するフィルタが形成されている（符号「Ｇ」が付されている）。偶数行のフォトダイオード２の受光面上には，青色の光成分を透過する特性を有するフィルタ（符号「Ｂ」が付されている）および赤色の光成分を透過する特性を有するフィルタ（符号「Ｒ」が付されている）。もちろん，このようなフィルタ配列でなくともよいのはいうまでもない。
【００１９】
各列のフォトダイオード２の右側には垂直転送路５が形成されている。この垂直転送路５上には，垂直転送電極Ｖ１〜Ｖ８が，これらの電極Ｖ１〜Ｖ８の順番で周期的に形成されている。緑色の光成分を透過するフィルタの右側には，垂直転送電極Ｖ１およびＶ８が形成されている。青色の光成分を透過するフィルタまたは赤色の光成分を透過するフィルタの右側には垂直転送電極Ｖ２およびＶ３またはＶ４およびＶ５が形成されている。
【００２０】
垂直転送路５の下には，水平転送路６が形成されている。水平転送路６の左端部には増幅回路７が接続されている。
【００２１】
フォトダイオード２に蓄積された信号電荷は，読み出しパルスが与えられることにより，垂直転送路５にシフトされるが，このシフト前に垂直転送路５に蓄積されている不要電荷が高速で掃き出される。この不要電荷掃き出し後に，フォトダイオード２に蓄積されている信号電荷が垂直転送路５にシフトされる。垂直転送路５の垂直転送電極Ｖ１〜Ｖ８に垂直転送パルスφＶ１〜φＶ８が与えられることにより，信号電荷は垂直転送路５内を垂直方向に転送させられる。垂直転送路５から出力された信号電荷は，水平転送路６に与えられ，水平方向に転送させられ，増幅回路７を介して映像信号として出力される。
【００２２】
図２は，垂直転送路に蓄積されている不要電荷を高速で掃き出すことにより，被写体像にいわゆる傷が発生する原理を示すものである。
【００２３】
上述したように，垂直転送電極Ｖ１〜Ｖ８に垂直転送パルスφＶ１〜φＶ８が与えられる。すると，垂直転送路５に電位井戸10が形成されて信号電荷が垂直方向に転送されていく。ＣＣＤ１の大きさを大きくすることなく高画素化を図っているために，電位井戸10が深くなるように垂直転送パルスφＶ１〜φＶ８のＬレベル（ＶＬ）はグランド・レベル（ＶＭ）よりも高く設定されている（たとえば，−８ｖ）。
【００２４】
不要電荷掃き出しが高速で行われると，不要電荷掃き出しの終了時点で電位変動が起こり，信号電荷11が電位井戸10に漏れてしまうことがある。この漏れが被写体像に傷が発生する原因である。
【００２５】
図３は，電位変動が起こる様子を示すタイム・チャートである。
【００２６】
時刻ｔ１からｔ２の間に，ＣＣＤ１の前方にある機械シャッタが開放されてＣＣＤ１のフォトダイオード２に信号電荷が蓄積される。その後，時刻ｔ３からｔ４の間で垂直転送路に蓄積された不要電荷を高速で掃き出すための垂直転送パルスが与えられる。高速掃き出しの開始時点ｔ３および終了時点ｔ４において垂直転送パルスの電位変動が生じる。上述のように，終了時点ｔ４における電位変動により，被写体像の傷の原因となる電位井戸への信号電荷の漏れが生じる。
【００２７】
数ライン分の信号電荷を掃き出すことができる時刻ｔ４からｔ５の間で，いわゆる空転送が行われる。時刻ｔ５において，奇数行のフォトダイオード２に読み出しパルスが与えられることにより，奇数行のフォトダイオード２に蓄積されている信号電荷が垂直転送路５にシフトされる。時刻ｔ５からｔ６の間でＣＣＤ１が駆動させられることにより，第１フィールド（奇数フィールド）の映像信号がＣＣＤ１から出力される。
【００２８】
時刻ｔ６において第１フィールドの映像信号の出力が終了すると，垂直転送路に蓄積された不要電荷の高速掃き出しが再び行われる。この高速掃き出しの開始時点ｔ６および終了時点ｔ７においても電位変動が生じ，終了時点ｔ７における電位変動により，被写体像のキスの原因となる電位井戸への信号電荷の漏れが生じる。
【００２９】
時刻ｔ７からｔ８の間で，空転送が行われる。時刻ｔ８において，偶数行のフォトダイオード２に読み出しパルスが与えられることにより，偶数行のフォトダイオード２に蓄積されている信号電荷が垂直転送路５にシフトされる。時刻ｔ８からｔ９の間でＣＣＤ１が駆動させられることにより，第２フィールド（偶数フィールド）の映像信号がＣＣＤ１から出力される。
【００３０】
図４は，この発明の実施例による映像信号出力のタイム・チャートである。
【００３１】
この実施例においては，機械シャッタが時刻ｔ２において閉じられるとともに垂直転送パルスφＶ１〜φＶ８のＬレベルが時刻ｔ９までの間，少し下げられる（タイム・チャート上では上昇するものであり，絶対値レベルが小さくされている。）。たとえば，−８ｖであったＬレベルが−7.5レベルとされる。垂直転送パルスφＶ１〜φＶ８のＬレベルが少し下げられるので，電位井戸の深さが少し浅くなる。不要電荷の高速掃き出しの終了時点ｔ４およびｔ７において電位変動が生じても信号電荷が電位井戸に漏れてしまうことが未然に防止される。被写体像における傷の発生を防ぐことができる。
【００３２】
図５は，他の実施例を示すもので，映像信号出力のタイム・チャートである。
【００３３】
この実施例においては，第１フィールドの信号電荷を転送する前に行われる不要電荷掃き出し開始時点ｔ３から時刻ｔ９までの間，垂直転送パルスφＶ１〜φＶ８のＬレベルが少し下げられる。高速掃き出しの終了時点である時刻ｔ４およびｔ７においては垂直転送パルスのＬレベルが少し下げられているので（タイム・チャート上では上昇している），上述のように被写体像における傷の発生を未然に防止できる。
【００３４】
図６は，さらに他の実施例を示すもので，映像信号出力のタイム・チャートである。
【００３５】
この実施例においては，第１フィールドの信号電荷を転送する前に行われる不要電荷掃き出しの開始時点ｔ３から終了時点ｔ４までの間に徐々に垂直転送パルスφＶ１〜φＶ８のＬレベルが少し下げられる（タイム・チャート上では上昇している）。時刻ｔ４から時刻ｔ９までの間は，垂直転送パルスφＶ１〜φＶ８のＬレベルが少し下げられた状態が維持され，その後，もとのレベルに戻される。この場合も高速転送掃き出しの終了時点ｔ４およびｔ７においては垂直転送パルスφＶ１〜φＶ８のＬレベルが下げられているので，被写体像における傷の発生を防止できる。
【００３６】
図７は，さらに他の実施例を示すもので，映像信号出力のタイム・チャートである。
【００３７】
この実施例においては，第１回目の高速掃き出し終了時点ｔ４から第１フィールドの映像信号の出力開始時点ｔ５までの間および第２回目の高速掃き出し終了時点ｔ７から第２フィールドの映像信号の出力開始時点ｔ８までの間において，垂直転送パルスφＶ１〜φＶ８のＬレベルが低くされる（タイム・チャート上では上昇している）。第１フィールドの映像信号が出力される時刻ｔ５からｔ６の間および第２フィールドの映像信号が出力される時刻ｔ８からｔ９の間は，垂直転送パルスφＶ１〜φＶ８のＬレベルは，もとのレベルに戻される（タイム・チャート上では下がる）。映像信号が出力されている間は，垂直転送パルスφＶ１〜φＶ８のＬレベルがもとのレベルに戻されているので，電位井戸の深さは深い。異なる画素の信号電荷が混ざってしまうことを未然に防止できる。
【００３８】
図８は，さらに他の実施例を示すもので，映像信号出力のタイム・チャートである。
【００３９】
この実施例においては，高速掃き出し開始時点ｔ３およびｔ６からのそれぞれの時点から徐々に垂直転送パルスφＶ１〜φＶ８のＬレベルが低くなり（タイム・チャート上では上昇する），高速掃き出し終了時点ｔ４およびｔ７のそれぞれの時点において垂直転送パルスφＶ１〜φＶ８のＬレベルがもっとも低くなる（−7.5ｖ）。その後，空転送の終了時点ｔ５およびｔ８のそれぞれの時点までに徐々に垂直転送パルスφＶ１〜φＶ８のＬレベルが高くなる（タイム・チャート上では下がる）。このようにしても，映像信号が出力されている間は，垂直転送パルスφＶ１〜φＶ８のＬレベルがもとのレベルに戻されているので，電位井戸の深さは深い。異なる画素の信号電荷が混ざってしまうことを未然に防止できる。
【００４０】
図９は，さらに他の実施例を示すもので，映像信号出力のタイム・チャートである。
【００４１】
上述の実施例においては，高速掃き出しの終了時点において垂直転送パルスφＶ１〜φＶ８のＬレベルを少し下げているが，この実施例においては，第１回目の高速掃き出しの期間ｔ３〜４における垂直転送パルスφＶ１〜φＶ８を，開始時点から所定の第１の期間ｔ３〜ｔ31は低周波数（長い周期）のものとし，その後所定の第２の期間ｔ31からｔ32までは高周波数（短い周期）のものとし，第２の期間終了後の高速掃き出し終了時点のｔ32〜ｔ４までは再び低周波数（長い周期）のものとしている。高速掃き出しの終了時点ｔ４においては垂直転送パルスφＶ１〜φＶ８の周波数が低いので電位変動を抑えることができる。また，中間の期間ｔ31〜ｔ32は，高周波数なので，不要電荷を早く掃き出すことができる。同様に，第２回目の高速掃き出しの期間ｔ６〜ｔ７においても，開始時点ｔ６を含む期間および終了時点ｔ７を含む期間は垂直転送パルスφＶ１〜φＶ８の周波数を低くし，中間の期間は垂直転送パルスφＶ１〜φＶ８の周波数を高速にすることにより，電位変動を抑えつつ，不要電荷の高速掃き出しを実現できる。
【００４２】
上述の実施例においては，高速掃き出しの開始時点を含む期間を低周波数の垂直転送パルスφＶ１〜φＶ８としているが，高速掃き出しの終了時点を含む期間を低周波数の垂直転送パルスφＶ１〜φＶ８とすればよいのはいうまでもない。
【００４３】
図10は，上述のＣＣＤ１を用いたディジタル・スチル・カメラの電気的構成を示すブロック図である。
【００４４】
ディジタル・スチル・カメラの全体の動作は，ＣＰＵ28によって統括される。
【００４５】
ディジタル・スチル・カメラには，シャッタ・スイッチ29，電源ボタン等を含むスイッチ30が含まれている。これらのスイッチ等からの出力信号は，メイン・バスを介してＣＰＵ28に入力する。また，ディジタル・スチル・カメラには，動作プログラム，データを一時的に記憶するメモリ24が含まれている。さらに，ディジタル・スチル・カメラには，音声を入出力するための音声入出力インターフェイス28も含まれている。
【００４６】
ＣＣＤ１の前方には，上述した機械シャッタ，撮像レンズ，バリア，絞り等を含む撮像系機械部21が設けられている。この撮像系機械部21は，駆動回路26によって駆動させられる。被写体像は，ＣＣＤ１の受光面上に結像する。ＣＣＤ１は，駆動回路26によって駆動させられる。被写体像を表す映像信号がＣＣＤ１から出力される。駆動回路26には，ＶＬ変調回路27から出力される変調制御信号が与えられる。変調制御信号が駆動回路26に与えられることにより，上述したようにＣＣＤ１の垂直転送路に与えられる垂直転送パルスφＶ１〜φＶ８のＬレベルが調整される，あるいは垂直転送パルスφＶ１〜φＶ８の周波数が制御される。
【００４７】
ＣＣＤ１から出力された映像信号は，ディジタル信号処理回路23において白バランス調整，ガンマ補正，アナログ／ディジタル変換などの所定のディジタル信号処理が行われてディジタル画像データとして出力される。ディジタル画像データは，画像表示装置32に与えられる。撮像により得られた被写体像が画像表示装置32の表示画面上に表示される。
【００４８】
シャッタ・スイッチ29が押されると，上述のようにして得られたディジタル画像データは，メモリ・カード・インターフェイス31を介してメモリ・カード33に与えられ，記録される。メモリ・カード33に記録された画像データによって表される被写体像は，上述のように傷が取り除かれたものとなっている。
【図面の簡単な説明】
【００４９】
【図１】ＣＣＤの模式図である。
【図２】垂直転送電極と電位井戸との関係を示している。
【図３】映像信号出力のタイム・チャートである。
【図４】映像信号出力のタイム・チャートである。
【図５】映像信号出力のタイム・チャートである。
【図６】映像信号出力のタイム・チャートである。
【図７】映像信号出力のタイム・チャートである。
【図８】映像信号出力のタイム・チャートである。
【図９】映像信号出力のタイム・チャートである。
【図１０】ディジタル・スチル・カメラの電気的構成を示すブロック図である。
【符号の説明】
【００５０】
１  ＣＣＤ
２  フォトダイオード
５  垂直転送路
26  駆動回路
27  ＶＬ変調回路
Ｖ１〜Ｖ８  垂直転送電極
φＶ１〜φＶ８  垂直転送パルス
【図１】
2007306071.tif 000003
【図２】
2007306071.tif 000004
【図３】
2007306071.tif 000005
【図４】
2007306071.tif 000006
【図５】
2007306071.tif 000007
【図６】
2007306071.tif 000008
【図７】
2007306071.tif 000009
【図８】
2007306071.tif 000010
【図９】
2007306071.tif 000011
【図１０】
2007306071.tif 000012